(57)【要約】【課題】海水の汚濁を抑えつつ、海藻類と一緒に回収した根本部分の土壌を崩すことなく移設して、海藻類の根付きを良好にする海藻類の移設方法および移設装置を提供する。【解決手段】移設アタッチメント６に取付けた回収ケース１を、前面を開口したアウターケース２と、アウターケース２に挿着した前面および底面を開口したインナーケース３とで構成し、この回収ケース１をバックホウのブーム５の操作により、その前面から海藻類Ｗを根本部分の土壌Ｓとともに回収し、台船に仮置きして移送した後、バックホウのブーム５の操作により、回収ケース１を海底に近づけ、アウターケース２を後退させて固定したままのインナーケース３の底面を開口状態にして、回収した海藻類Ｗを土壌Ｓとともに移設先の海底に配置する。【選択図】    図１０
2007166961.tif 000002
【特許請求の範囲】
【請求項１】
台船上に載置したバックホウのブームの先端部に回収ケースを取付けて、該回収ケースに海底の海藻類を根本部分の土壌とともに回収し、該回収ケースを前記台船に仮置きして移設先に移送して、前記バックホウのブームの先端部に仮置きした回収ケースを取付けて、該回収ケースに回収した海藻類を根本部分の土壌とともに移設先の海底に配置するようにした海藻類の移設方法において、前記回収ケースを前面を開口したアウターケースと、前面および底面を開口したインナーケースとで構成し、該インナーケースを前記アウターケースの前面から挿着した回収ケースの前面から前記海藻類を根本部分の土壌とともに回収し、移設先の海底に配置する際には、前記アウターケースを後退させて前記インナーケースの底面を開口状態にする海藻類の移設方法。
【請求項２】
前記海藻類の移設先領域外周に、海藻類とともに移設した根本部分の土壌の洗掘を防止する洗掘防止部を形成する請求項１に記載の海藻類の移設方法。
【請求項３】
台船上に載置したバックホウと、該バックホウのブームの先端部に着脱自在に取付けた回収ケースとを備え、該回収ケースに海底の海藻類を根本部分の土壌とともに回収し、該回収したケースを前記台船に仮置きして移設先に移送して、前記バックホウのブームの先端部に仮置きした回収ケースを取付けて、該回収ケースに回収した海藻類を根本部分の土壌とともに移設先の海底に配置するようにした海藻類の移設装置において、前記回収ケースが前面を開口したアウターケースと、前面および底面を開口したインナーケースとで構成され、該インナーケースを前記アウターケースの前面から挿脱可能に設けた海藻類の移設装置。
【請求項４】
前記アウターケースの前面を閉口する着脱可能な前面蓋を設けた請求項３に記載の海藻類の移設装置。
【発明の詳細な説明】
【技術分野】
【０００１】
本発明は、海藻類の移設方法および移設装置に関し、さらに詳しくは、移設作業によって生じる海水の汚濁を抑えるとともに、海藻類と一緒に回収した根本部分の土壌を崩すことなく移設して、移設先での海藻類の根付きを良好にできる海藻類の移設方法および移設装置に関するものである。
【背景技術】
【０００２】
構造物を建設する等の工事海域に多くの海藻類が生息している場合や絶滅が危惧されている海藻類が生息している場合は、環境保護等の観点から、これらの海藻類を工事海域外に移設して、保護することが行われている。
【０００３】
海藻類の移設については、例えば、台船にバックホウを載置して、このバックホウのブームの先端部に取付けた回収ケースに、海藻類を根本部分の土壌とともに回収し、この回収ケースを台船に仮置きして移設先に移動させた後、再度、回収ケースをバックホウのブームの先端部に取付けて、回収した海藻類を土壌とともに移設先の海底に配置する方法が提案されている（特許文献１参照）。
【０００４】
しかしながら、この提案では、回収した海藻類を回収ケースから排出する際に、回収ケースを大きく傾斜させて収容物（海藻類等）を滑らせたり、収容物を強制的に押出して排出するようにしているので、回収した土壌が崩れて散乱し易いという問題があった。また、回収ケースから排出された時点で、収容物が露出状態となるので、波動が直接あたることにより、土壌が崩れ易いという問題があった。
【０００５】
根本部分の土壌が崩れて土壌が少なくなった状態で移設された海藻類は、移設先の土壌で安定せず、根付きが悪いので、根本部分の土壌を崩すことなく移設でき、根付きを良好にできる海藻類の移設手段が求められていた。
【特許文献１】特開２００１−２１８５３３号公報
【発明の開示】
【発明が解決しようとする課題】
【０００６】
本発明の目的は、移設作業によって生じる海水の汚濁を抑えるとともに、海藻類と一緒に回収した根本部分の土壌を崩すことなく移設して、移設先での海藻類の根付きを良好にできる海藻類の移設方法および移設装置を提供することにある。
【課題を解決するための手段】
【０００７】
上記目的を達成するため本発明の海藻類の移設方法は、台船上に載置したバックホウのブームの先端部に回収ケースを取付けて、該回収ケースに海底の海藻類を根本部分の土壌とともに回収し、該回収ケースを前記台船に仮置きして移設先に移送して、前記バックホウのブームの先端部に仮置きした回収ケースを取付けて、該回収ケースに回収した海藻類を根本部分の土壌とともに移設先の海底に配置するようにした海藻類の移設方法において、前記回収ケースを前面を開口したアウターケースと、前面および底面を開口したインナーケースとで構成し、該インナーケースを前記アウターケースの前面から挿着した回収ケースの前面から前記海藻類を根本部分の土壌とともに回収し、移設先の海底に配置する際には、前記アウターケースを後退させて前記インナーケースの底面を開口状態にすることを特徴とするものである。
【０００８】
また、本発明の海藻類の移設装置は、台船上に載置したバックホウと、該バックホウのブームの先端部に着脱自在に取付けた回収ケースとを備え、該回収ケースに海底の海藻類を根本部分の土壌とともに回収し、該回収したケースを前記台船に仮置きして移設先に移送して、前記バックホウのブームの先端部に仮置きした回収ケースを取付けて、該回収ケースに回収した海藻類を根本部分の土壌とともに移設先の海底に配置するようにした海藻類の移設装置において、前記回収ケースが前面を開口したアウターケースと、前面および底面を開口したインナーケースとで構成され、該インナーケースを前記アウターケースの前面から挿脱可能に設けたことを特徴とするものである。
【発明の効果】
【０００９】
本発明の海藻類の移設方法および移設装置によれば、バックホウの操作により、インナーケースをアウターケースに挿着した回収ケースの前面の開口から海藻類を根本部分の土壌とともに回収することができる。次いで、回収ケースを台船に仮置きして、移設先に移送した後、バックホウの操作により、回収ケースを海底に移動させ、アウターケースを後退させてインナーケースの底面を開口状態にできる。
【００１０】
これにより、衝撃を与えないように回収した海藻類を根本部分の土壌とともに海底に配置することができ、土壌が崩れて散乱するようなことをなくして移設することが可能になる。海底に配置してからインナーケースが引き揚げられるまで、海藻類および根本部分の土壌はインナーケースで覆われるので、直接波動があたることがなく保護される。このように、土壌を安定させ、移設先での海藻類の根付きを良好にし、移設の際の海水の汚濁も防止することもできる。
【発明を実施するための最良の形態】
【００１１】
以下、本発明の海藻類の移設方法および移設装置を図に示した実施形態に基づいて説明する。
【００１２】
図１、図２に例示するように移設装置は、台船７に載置されたバックホウ４を有し、そのブーム５の先端部には、移設アタッチメント６を介して回収ケース１が取付られている。回収ケース１は、バックホウ４の操作によるブーム５およびシリンダロッド５ａの作動で任意の位置に移動できるようになっている。
【００１３】
回収ケース１は、図３に例示するように、アウターケース２とインナーケース３とで構成されている。アウターケース２は前面を開口した直方体で上面の四隅に係止突起２ａが設けられている。インナーケース３は前面および底面を開口した箱状体であり、アウターケース２の前面から嵌り合うように挿脱可能となっている。インナーケース３の前面上方には、ストッパ受け３ａが設けられている。両側面の前方下部は、面取りされた形状となっているが、面取りしない形状にしてもよい。
【００１４】
移設アタッチメント６は、図４に示すように上部がバックホウ４のブーム５およびシリンダロッド５ａに着脱可能に連結されている。前方にはストッパ６ａを備え、内部に油圧シリンダ６ｃを有している。この油圧シリンダ６ｃはバックホウ４の油圧系統に接続されている。
【００１５】
移設アタッチメント６の下方部にはスライドフレーム６ｂが配置され、その後端部が油圧シリンダ６ｃの作動ロッドに接続して、前後移動可能となっている。スライドフレーム６ｂの下面には４つの係止爪６ｄが突設されている。
【００１６】
回収ケース１は、インナーケース３をアウターケース２に格納した状態で、アウターケース２の係止突起２ａに移設アタッチメント６の係止爪６ｄが係止されて取付けられる。インナーケース３のストッパ受け３ａには、移設アタッチメント６のストッパ６ａが貫入できるようになっている。
【００１７】
図４に示すように、ストッパ６ａをストッパ受け３ａに貫入させて、移設アタッチメント６とインナーケース３とを固定して、バックホウ４の操作により、移設アタッチメント６の油圧シリンダ６ｃの作動ロッドを後方移動させて伸長させると、スライドフレーム６ｂとともに、アウターケース２が後方に移動して、インナーケース３がアウターケース２の外部に現れるようになる。
【００１８】
移設する海藻類Ｗを回収するには、まず、台船７上でアウターケース２にインナーケース３を挿着した状態の回収ケース１を移設アタッチメント６に取付ける。次いで、回収ケース１を海底の近くまで移動させて、図５に示すように移設アタッチメント６の後方側に移動させておいた回収ケース１をやや傾斜させて、所定の深さだけ土壌Ｓに埋入させる。尚、最初の回収をした後は海底に段差ができるので、２回目以降の回収に際しては、回収ケース１をほぼ水平の状態にして、所定の深さで土壌Ｓに埋入する。
【００１９】
続いて図６に示すように回収ケース１を水平状態にして、油圧シリンダ６ｃの作動ロッドを前方移動させることにより収縮させて、回収ケース１の前面から海藻類Ｗを根本部分の土壌Ｓとともに回収する。この際に根本部分の土壌Ｓに崩すような過度の力を加えることなく、土壌Ｓの巻上げも抑えることができる。
【００２０】
回収を行なった回収ケース１は移設アタッチメント６から取り外して、台船７の上に仮置きする。移設アタッチメント６には、新たな空の状態の回収ケース１を取付けて、上記の回収工程を繰返し実施する。この回収工程は、例えば、図２の２点鎖線で回収軌跡を示すように、回収ケース１の回収範囲が碁盤目状に間隔が密になるように行なう。
【００２１】
移設する海藻類Ｗとして適しているのは、例えば、アマモ、リュウキュウスガモ、ウミショウブ等の砂泥地に繁茂する海藻類Ｗである。
【００２２】
台船７上で仮置きする際には、図７に例示するように回収ケース１の前面を隣接する回収ケース１で塞ぐように配置して、回収した土壌Ｓを崩れにくくする。図８に示すように、アウターケース２の前面に着脱可能な前面蓋２ｂを装着するようにしてもよい。仮置きしている回収ケース１は、養生シートで覆って海水を適宜、散布して海藻類Ｗを養生する。
【００２３】
仮置きした回収ケース１は台船７で移設先に移動させ、移動後に再度、移設アタッチメント６に取付ける。この際に、回収ケース１は移設アタッチメント６の前方側に配置させ、インナーケース３のストッパ受け３ａにストッパ６ａを貫入させて、移設アタッチメント６に固定しておく。次いで、図９に示すようにバックホウ４の操作により、回収ケース１を移動させて移設先の海底の土壌Ｓに近づけて略水平な状態にする。
【００２４】
次いで、図１０に例示するように、移設アタッチメント６の油圧シリンダ６ｃの作動ロッドを後方移動させて伸長させることにより、アウターケース２を後方移動させて、静止状態のインナーケース３を露出させる。これにより、インナーケース３の底面が開口状態となり、回収した海藻類Ｗを根本部分の土壌Ｓとともに海底に配置する。
【００２５】
このように、回収した海藻類Ｗおよび根本部分の土壌Ｓをほとんど移動させることなく過度の力、衝撃を加わえることなく、下方に静かに自然落下させて海底に配置することができる。そのため、土壌Ｓが崩れて散乱するようなことをなくして十分な量の土壌Ｓとともに海藻類Ｗを移設することが可能になる。海水の汚濁も防止できる。
【００２６】
海藻類Ｗを移設先の土壌Ｓに配置した後、空の状態になった回収ケース１を引き揚げて移設アタッチメント６から取り外し、台船７の上に置いておく。インナーケース３が引き揚げられるまで、配置された海藻類Ｗおよび根本部分の土壌Ｓはインナーケース３で覆われるので、直接波動があたることがなく保護される。これにより、配置した土壌Ｓには波動が直接当たることがないので、土壌Ｓを崩壊、散乱させることがない。したがって、回収した海藻類Ｗを根本部分の土壌Ｓとともに安定して移設先の土壌Ｓに配置でき、根付きが良好になる。
【００２７】
移設アタッチメント６には、仮置きしている新たな回収ケース１を取付けて、上記した配置工程を繰返し実施する。この配置工程を、例えば、回収した時のように回収ケース１の配置範囲を碁盤目状に間隔が密になるように行なう。配置した海藻類Ｗどうしのすき間は、例えば、元々海藻類Ｗが生息していた土壌Ｓ（砂等）で間詰する。
【００２８】
このように、本発明によれば潜水士による作業をなくすことができるので、より迅速に作業を行なうことができる。
【００２９】
すべての回収ケース１を引き揚げて移設が完了した移設領域では、移設先の土壌Ｓから上方に突出している最外周の土壌Ｓが波や潮流で洗掘され易いので、図１１に示すように移設先領域外周に洗掘防止部８を形成することが好ましい。図１１では洗掘防止部８が潜堤となっているが、その他に消波ブロック等を配置してもよい。
【００３０】
また、図１２に示すように、洗掘防止部８を溝状にしてもよく、移設先の土壌Ｓを掘って溝を形成しておき、この溝領域に海藻類Ｗを移設する。移設先のすべての領域を掘ることは作業が大変なので、最外周となる領域を最も深くした階段状または傾斜状の溝にしてもよい。
【００３１】
一度に移設する海藻類Ｗの量、即ち、移設する回収ケース１の数は、移設先までの移動時間、作業時間等を考慮して、仮置きしている海藻類Ｗが衰弱しないように決定する。したがって、広範囲の海藻類Ｗの移設をする場合は、複数に分けて移設作業を行なうようにする。
【図面の簡単な説明】
【００３２】
【図１】本発明の海藻の移設装置の全体概要を例示する側面図である。
【図２】図１の平面図である。
【図３】図１の回収ケースを例示する斜視図である。
【図４】図１の回収ケースと移設アタッチメントとを例示する側面図である。
【図５】海藻類を回収する工程を例示する側面図である。
【図６】図５の次の工程を例示する側面図である。
【図７】図１の回収ケースを仮置きしている状態を例示する側面図である。
【図８】図７において回収ケースの変形例を示す側面図である。
【図９】回収した海藻類を移設先の海底に配置する工程を例示する側面図である。
【図１０】図９の次の工程を例示する側面図である。
【図１１】海藻類を移設した領域の外周部を例示する側面図である。
【図１２】海藻類を移設した領域の外周部の別の例を示す側面図である。
【符号の説明】
【００３３】
１  回収ケース
２  アウターケース    ２ａ  係止突起    ２ｂ  前面蓋
３  インナーケース    ３ａ  ストッパ受け
４  バックホウ  
５  ブーム      ５ａ  シリンダロッド
６  移設アタッチメント    ６ａ  ストッパ    ６ｂ  スライドフレーム
６ｃ  油圧シリンダ    ６ｄ  係止爪
７  台船
８  洗掘防止部
【図１】
2007166961.tif 000003
【図２】
2007166961.tif 000004
【図３】
2007166961.tif 000005
【図４】
2007166961.tif 000006
【図５】
2007166961.tif 000007
【図６】
2007166961.tif 000008
【図７】
2007166961.tif 000009
【図８】
2007166961.tif 000010
【図９】
2007166961.tif 000011
【図１０】
2007166961.tif 000012
【図１１】
2007166961.tif 000013
【図１２】
2007166961.tif 000014